(57)【特許請求の範囲】
【請求項１】
操作者の片手操作によって開閉される一対の挟持部を有し、前記一対の挟持部には、それぞれ閉操作時に他方の挟持部と面接触する挟持面が形成されており、
一方の挟持部の所定部位には、頭部を有する締結金具の軸部を挟持面側から肉厚方向に挿通支受するための支受孔が形成されており、
前記一方の挟持部の支受孔の周囲部分と、他方の挟持部の挟持面とで、閉操作時に前記一方の挟持部の支受孔にその軸部が支受された前記締結金具の頭部を押圧保持するように構成されていることを特徴とする、
締結金具保持用工具。
【請求項２】
前記締結金具の頭部と接する他方の挟持部に、当該締結金具の頭部が押圧されているときに当該頭部に作用する変形力を緩和するための緩衝アダプタが装着されていることを特徴とする、
請求項１記載の締結金具保持用工具。
【請求項３】
前記一方の挟持部のうち前記他方の挟持部を臨む部位に、その軸部が前記支受孔に支受された締結金具の頭部の一部を収容するための収容空間が形成されていることを特徴とする、
請求項１又は２記載の締結金具保持用工具。
【請求項４】
その先端部の枢軸を介して連結され、操作者の片手操作によって開閉される一対の挟持部を有し、
一方の挟持部には、頭部を有する締結金具の軸部を貫通させる異なる内径の複数の支受孔が形成されており、
他方の挟持部は、閉操作時にいずれかの支受孔にその軸部が支受された締結金具の頭部を押圧保持するように構成されていることを特徴とする、
締結金具保持用工具。
【請求項５】
その先端部の枢軸を介して連結され、操作者の片手操作によって開閉される一対の挟持部を有し、
一方の挟持部には、頭部を有する締結金具の軸部を貫通させる異なる内径の複数の支受孔が形成されており、
他方の挟持部のうち前記複数の支受孔の各々を臨む部位には、当該支受孔にその軸部が支受された前記締結金具の頭部の一部を収容するとともに、当該頭部に作用する変形力を緩和するための緩衝アダプタが装着されており、
この緩衝アダプタを介して締結金具の頭部を押圧保持するように構成されていることを特徴とする、
締結金具保持用工具。
【請求項６】
前記一方の挟持部のうち前記他方の挟持部を臨む部位に、その軸部が前記支受孔に支受された締結金具の頭部の一部を収容するための収容空間が形成されていることを特徴とする、
請求項４又は５記載の締結金具保持用工具。
【発明の詳細な説明】
【０００１】
【発明の属する技術分野】
本発明は、ネジ、クギ、ボルト、ビス等のように、軸部の一端側に頭部を有する締結金具の曲げ矯正を行うときにこの締結金具を固定保持する工具に関するものである。
【０００２】
【従来の技術】
精密機器、魚釣用リール、眼鏡フレーム等では、組立てに際して、軸部の一端側に頭部を有するネジやビスなどの締結金具が数多く用いられている。これらの精密機器等の使用中や分解して保守しているとき等に、締結金具の軸部に大きな外力が加わると、その軸部が折り曲げられることがある。軸部が折れ曲がっていると、当該精密機器等の使用に障害が生じたり、使用不能になってしまうことがある。このため、軸部が曲がった締結金具を適宜矯正する必要が生じる。
締結金具がいわゆるツーポネジ等のように、特に小型のものである場合の矯正は、ラジオペンチなどのような先細状のもので軸部を挟持して行うことになるが、この場合に軸部を強く挟持しなければ矯正作業の為の保持力が十分でない。
【０００３】
【発明が解決しようとする課題】
締結金具の軸部周りを強く挟持すると、該軸部の外周にネジが形成されている場合には、ネジ山を潰してしまい、ネジとしての再使用が不可能となる。特に、金やプラチナなどの材料からフレームが形成されている眼鏡にあっては、その組立て部品としてのツーポネジも同一の材料が用いられていが、このような金やプラチナなどの柔軟な材料の場合には、強い外力が加わると変形し易いため、どうしても挟持力を弱くして保持する必要がある。しかし、このように弱い挟持力で挟持しようとすると、矯正中に締結金具が滑ったりして姿勢が安定せず、作業性が極めて悪いといった問題があった。
【０００４】
本発明の課題は、締結金具の軸部の曲げ矯正を行う際に、該締結金具に損傷を与えることなく且つ確実にそれを固定保持できる締結金具保持用工具を提供することにある。
【０００５】
【課題を解決するための手段】
本発明の締結金具保持用工具は、操作者の片手操作によって開閉される一対の挟持部を有し、前記一対の挟持部には、それぞれ閉操作時に他方の挟持部と面接触する挟持面が形成されており、一方の挟持部の所定部位には、頭部を有する締結金具の軸部を挟持面側から肉厚方向に挿通支受するための支受孔が形成されており、前記一方の挟持部の支受孔の周囲部分と、他方の挟持部の挟持面とで、閉操作時に前記一方の挟持部の支受孔にその軸部が支受された前記締結金具の頭部を押圧保持するように構成されていることを特徴とするものである。
【０００５】
締結金具の損傷をより効果的に防止する観点からは、締結金具の頭部と接する他方の挟持部に、当該締結金具の頭部が押圧されているときに当該頭部に作用する変形力を緩和するための緩衝アダプタを装着する。
一方の挟持部のうち前記他方の挟持部を臨む部位に、その軸部が前記支受孔に支受された締結金具の頭部の一部を収容するための収容空間を形成しておくことにより、締結金具の取り扱い（工具への装着等）がより容易になる。
【０００６】
本発明の他の締結金具保持用工具は、その先端部の枢軸を介して連結され、操作者の片手操作によって開閉される一対の挟持部を有するものである。一方の挟持部には、頭部を有する締結金具の軸部を貫通させる異なる内径の複数の支受孔が形成されている。他方の挟持部は、閉操作時にいずれかの支受孔にその軸部が支受された締結金具の頭部を押圧保持するように構成されている。
【０００７】
本発明の他の締結金具保持用工具は、その先端部の枢軸を介して連結され、操作者の片手操作によって開閉される一対の挟持部を有するものである。一方の挟持部には、頭部を有する締結金具の軸部を貫通させる異なる内径の複数の支受孔が形成されており、他方の挟持部のうち前記複数の支受孔の各々を臨む部位には、当該支受孔にその軸部が支受された前記締結金具の頭部の一部を収容するとともに、当該頭部に作用する変形力を緩和するための緩衝アダプタが装着されており、この緩衝アダプタを介して締結金具の頭部を押圧保持するように構成されていることを特徴とする。好ましい実施の態様としては、前記一方の挟持部のうち前記他方の挟持部を臨む部位に、その軸部が前記支受孔に支受された締結金具の頭部の一部を収容するための収容空間が形成されている。
【０００８】
【発明の実施の形態】
以下、本発明の締結金具保持用工具の実施の形態を説明する。
（第１実施形態）
図１は、本発明の第１実施形態に係る締結金具保持用工具１の外観斜視図である。この締結金具保持用工具１は、一般的なペンチ（プライヤ）と同様、操作者が片手で操作する一対の脚部１０ａ，１０ｂと、挟持部１１ａ，１１ｂとを有する。脚部１０ａと挟持部１１ａ、脚部１０ｂと挟持部１１ｂは、それぞれ一体的に形成されており、その会合部位において交差し、かつ、枢軸１６を介して相対的に回動可能（開閉操作可能）となるように枢支されている。
なお、以下の説明では、挟持部１１ａを下側挟持部、挟持部１１ｂを上側挟持部と称する場合がある。
【０００９】
脚部１０ａ，１０ｂには、それぞれ合成樹脂被膜体等により握り部１２ａ，１２ｂが設けられている。
【００１０】
上側挟持部１１ｂの先端には、薄肉状の平板部１３が形成されている。図２は、この平板部１３の断面構造図である。平板部１３の中央には、肉厚方向にネジＮを挿通支受するための支受孔１４が形成されている。この支受孔１４の径寸法は、保持対象とする締結金具（図示においてはネジＮ）の外径寸法によって決定される。支受孔１４は、ネジＮの軸部に対応した空間のみを形成しても良いが、図２に示されるように、上側挟持部１１ｂの内側、すなわち下側挟持部１１ａを臨む部位に、その軸部が支受孔１４に支受された締結金具の頭部の一部を収容するための収容空間（以下、「広径部」）１４ａを形成し、ネジＮを押圧保持するときは、この広径部１４ａ内にネジＮの頭部の一部が収容され、残部が露出するようにしても良い。このようにすれば、ネジＮの正しい位置への装着が容易になる。なお、広径部１４ａの形状をネジＮの頭部と同一形状にし、この頭部を全部収容するようにしても良い。
【００１１】
図１及び図２では、上側挟持部１１ｂに支受孔１４を１つ形成したものを図示したが、本発明はこれに限定されるものではなく、同一あるいは異なる内径の支受孔１４を複数形成しておいても良い。
【００１２】
上側挟持部１１ｂの下側挟持部１１ａと対向する面（以下、「挟持面」）は、偏平状に形成されており、閉操作時に、ほぼ同一形状の下側挟持部１１ａの対向挟持面と面接触するようになっている。
【００１３】
下側挟持部１１ａの挟持面側には、挟持面を覆う形状の表面部を有する緩衝アダプタ１５が装着されている。この緩衝アダプタ１５を装着するか否かは任意であるが、装着されている場合には、その表面部が挟持面となる。この緩衝アダプタ１５は、例えば硬質セルロイドなどの合成樹脂から成り、ネジＮの頭部を押圧保持するときに、該頭部を柔軟に保持して当該頭部に作用する変形力を緩和するものである。これにより、ネジＮの頭部が潰れる事態を防止することができる。また、特に図示していないが、緩衝アダプタ１５の挟持面であってネジＮの頭部が対応する部位に、該ネジＮの頭部を収容する凹部を形成しておいても良い。
【００１４】
次に、この実施形態の締結金具保持用工具１の使用状態を説明する。ここでは、支受孔１４ａに広径部１４ａを形成していないものとして説明する。
まず、図１に示されるように、曲がっているネジＮの先端を上側挟持部１１ａの支受孔１４の挟持面側から挿通する。この状態を図３に示す。
【００１５】
この後、握り部１２ａ，１２ｂを握持して閉操作すると、図４に示すように、ネジＮが両挟持部１１ａ，１１ｂによって挟持される。このとき、ネジＮの頭部は緩衝アダプタ１５によって押圧保持され、軸部は挟持部１１ｂの支受孔１４で支受される。この状態で、図５および図６に示すように、他の工具、例えばラジオペンチ５でネジＮの曲げ矯正を行う。
【００１６】
このように、第１実施形態の締結金具保持用工具１を用いることにより、締結金具の曲がった軸部を矯正する際に、操作者が片手操作によって簡単かつ確実に締結金具を保持することができるので、作業性がよくなる利点がある。
【００１７】
（第２実施形態）
図７は、本発明の第２実施形態に係る締結金具保持用工具の外観斜視図である。この締結金具保持用工具３は、２本の脚部３０ａ，３０ｂを有し、先端側において枢軸３６を介して回動（開閉）自在に連結されている。脚部３０ａ，３０ｂの自由端側にはそれぞれ合成樹脂被膜等により握り部３２ａ，３２ｂが設けられている。
脚部３０ａ，３０ｂは、第１の実施形態における挟持部１１ａ，１１ｂを兼ね備えるものである。
【００１８】
各脚部３０ａ，３０ｂには緩衝アダプタ３５が装着される。
この緩衝アダプタ３５は、第１実施形態で説明した緩衝アダプタ１５と同様のもので、ネジの頭部を押圧保持したときに該頭部に加わる変形力を緩和して頭部が潰れないようにするものである。
【００１９】
脚部３０ａ及びその表面に装着された緩衝アダプタ３５には、所定の間隔をおいて肉厚方向にネジＮを挿通支受するための支受孔３４１，３４２，３４３が形成されている。これらの支受孔３４１，３４２，３４３の径寸法は、保持対象とする締結金具の外径寸法によって決定されるものである。
各支受孔３４の形状及びサイズは、それぞれ同一であっても良く、互いに異なるものであっても良い。同一形状等の場合は、同一の径寸法のネジを同時に複数保持できる利点がある。互いに異なる形状等の場合は、一つの締結金具保持用工具３で複数種類のネジを選択的に保持できる利点がある。
【００２０】
一方、脚部３０ｂ及びその表面に装着された緩衝アダプタ３５の、支受孔３４１，３４２，３４３の各々を臨む部位には、支受孔３４１，３４２，３４３にその軸部が支受された締結金具の頭部の一部を収容するための収容空間（「広径部」）３４４、３４５（実際にはもう一つ存在するが、図７では省略されている）が形成されている。
【００２１】
この実施形態の締結金具保持用工具３の使用方法は、概ね第１実施形態の締結金具保持用工具１の場合と同様となる。
【００２２】
このように、第２実施形態の締結金具保持用工具３を用いることにより、締結金具の曲がった軸部を矯正する際に、片手操作によって簡単かつ確実に締結金具を保持することができるので、作業性がよくなる利点がある。
また、複数の締結金具に対応できるようにしたので、作業効率の向上も期待される。
【００２３】
なお、図７では、３つの支受孔３４１、３４２，３４３を脚部３０ａ及びその表面部の緩衝アダプタ３５に形成し、脚部３０ｂ及びその表面部の緩衝アダプタ３５には、各支受孔３４１、３４２，３４３に対応して広径部３４４，３４５を形成した構造について説明したが、各支受孔３４１、３４２，３４３を図２のように広径部を含む形状にすれば、脚部３０ｂ側の広径部３４４，３４５は、必ずしも必要ではない。この場合、緩衝アダプタ３５も脚部３０ｂ側だけに装着するようにしても良い。
【００２４】
第２実施形態では、複数の支受孔３４１、３４２，３４３を形成した場合の例について説明したが、単一の支受孔を形成するようにしても良い。
複数の支受孔３４１、３４２，３４３を形成する場合であっても、その配置は必ずしも図７のような例に限定されるものではなく、任意に設計できるものである。
【００２５】
【発明の効果】
以上の説明から明らかなように、本発明によれば、締結金具の軸部の曲げ矯正を行う際に、該締結金具に損傷を与えることなく且つ確実にそれを固定保持できる締結金具保持用工具が得られる。
【図面の簡単な説明】
【図１】本発明の第１実施形態に係る締結金具保持用工具の外観斜視図。
【図２】第１実施形態の締結金具保持用工具における挟持部先端の側面断面図。
【図３】第１実施形態の締結金具保持用工具の使用状態を示した説明図。
【図４】第１実施形態の締結金具保持用工具の使用状態を示した説明図。
【図５】第１実施形態の締結金具保持用工具の使用状態を示した説明図。
【図６】第１実施形態の締結金具保持用工具の使用状態を示した説明図。
【図７】本発明の第２実施形態に係る締結金具保持用工具の外観斜視図。
【符号の説明】
１，３    締結金具保持用工具
１０ａ，１０ｂ，３０ａ，３０ｂ    脚部
１１ａ，１１ｂ    挟持部
１２ａ，１２ｂ，３２ａ，３２ｂ    握り部
１３      平板部
１４，３４１，３４２，３４３      支受孔
１４ａ，３４４，３４５            広径部（頭部収容空間）
１５，３５        緩衝アダプタ
１６，３６  枢軸
【図１】
0003776270.tif 000002
【図２】
0003776270.tif 000003
【図３】
0003776270.tif 000004
【図４】
0003776270.tif 000005
【図５】
0003776270.tif 000006
【図６】
0003776270.tif 000007
【図７】
0003776270.tif 000008